(57)【要約】【課題】  手洗い排水が比較的低流量の場合においても洗浄水が貯水筒へと流入することを抑制することが可能な洗浄水タンク装置を提供することを目的とする。【解決手段】  貯水タンクの上方に固定され、貯水タンク側に洗浄水を流入させる流入口が形成された手洗い鉢を備えた蓋体と、流入口から流入する洗浄水を受け止める受部と、受部の外周縁に形成された縦壁部と、縦壁部に開口され洗浄水を前記貯水タンクへ導く導水口と、を備えた導水部材と、を有し、導水口は、一端から他端に向けて突出したリブを備えた洗浄水タンク装置。【選択図】  図３
2018168544.tif 000002
【特許請求の範囲】
【請求項１】
洗浄水を貯水する洗浄水タンク装置であって、
洗浄水が貯水され、底面に排水口が形成された貯水タンクと、
この貯水タンクの上方に固定され、前記貯水タンク側に洗浄水を流入させる流入口が形成された手洗い鉢を備えた蓋体と、
前記貯水タンク及び前記手洗い鉢に洗浄水を給水する給水装置と、
前記排水口を閉止する排水弁を備えた排水装置と、
前記流入口から流入する洗浄水を受ける受部と、この受部の外周縁に形成された縦壁部と、この縦壁部に開口され洗浄水を前記貯水タンクへ導く導水口と、を備えた導水部材と、
を有し、
前記縦壁部は、前記受部の内側へ向けて突出する山形のリブを備える洗浄水タンク装置。
【請求項２】
前記リブは複数形成されて波状の壁面を形成する請求項１に記載の洗浄水タンク装置。
【請求項３】
前記縦壁部は、前記受部の中央に向けて突出する突出壁面を形成する請求項１又は２に記載の洗浄水タンク装置。
【請求項４】
請求項１乃至３の何れか１項に記載の上記洗浄水タンク装置を備える水洗大便器。
【発明の詳細な説明】
【技術分野】
【０００１】
本発明は、洗浄水を貯水する洗浄水タンク装置、及び、その洗浄水タンク装置を備えた水洗大便器に関する。
【背景技術】
【０００２】
洗浄水タンク装置として、排水弁と、排水弁の上方かつ蓋体の手洗い鉢に形成された流入口の下方に配置され、流入口から貯水タンクに流入する洗浄水を受けて水平方向へと導く導水部材と、を備えたものが知られている（例えば、特許文献１参照）。
【先行技術文献】
【特許文献】
【０００３】
【特許文献１】特許第５３９２５７２号公報
【発明の概要】
【発明が解決しようとする課題】
【０００４】
上述した洗浄水タンク装置は、例えば、流入口から貯水タンクへ流入する洗浄水の流速が高くなる場合や、貯水タンクをコンパクト化することで導水部材の導水口と貯水タンク外とが近づく場合、導水口から吐出する洗浄水が貯水タンクの外へと飛び出してしまう懸念がある。
【０００５】
本発明は、上述した問題を解決するためになされたものであり、洗浄水が貯水タンク外へ飛び出してしまうことを抑制することが可能な洗浄水タンク装置を提供することを目的とする。
【課題を解決するための手段】
【０００６】
本発明は、洗浄水を貯水する洗浄水タンク装置であって、洗浄水が貯水され、底面に排水口が形成された貯水タンクと、この貯水タンクの上方に固定され、前記貯水タンク側に洗浄水を流入させる流入口が形成された手洗い鉢を備えた蓋体と、前記貯水タンク及び前記手洗い鉢に洗浄水を給水する給水装置と、前記排水口を閉止する排水弁を備えた排水装置と、前記流入口から流入する洗浄水を受ける受部と、この受部の外周縁に形成された縦壁部と、この縦壁部に開口され洗浄水を前記貯水タンクへ導く導水口と、を備えた導水部材と、を有し、前記縦壁部は、前記受部の内側へ向けて突出する山形のリブを備える洗浄水タンク装置である。
【０００７】
このように構成された本発明においては、受部で受けて縦壁部へ向かう洗浄水が山形のリブに衝突することで、洗浄水の流速を抑制することができる。また、山形であるため、洗浄水の流速を抑制しつつ、例えばリブが縦壁部に対して垂直に形成される場合に比べて、リブにより洗浄水の流れをリブにより止めてしまうことを抑制することができる。従って、洗浄水が貯水タンク外へ飛び出してしまうことを抑制することができる。
【０００８】
本発明は、好ましくは、前記リブは複数形成されて波状の壁面を形成する。
【０００９】
このように構成された本発明においては、受部で受けて縦壁部へ向かう洗浄水が複数の山形のリブに衝突することで、洗浄水の流速をより確実に抑制することができる。また、山形であるため、洗浄水の流速を抑制しつつ、例えばリブが縦壁部に対して垂直に形成される場合に比べて、リブにより洗浄水の流れをリブにより止めてしまうことを抑制することができる。従って、洗浄水が貯水タンク外へ飛び出してしまうことをより確実に抑制することができる。
【００１０】
本発明は、好ましくは、前記縦壁部は、前記受部の中央に向けて突出する突出壁面を形成する。
【００１１】
このように構成された本発明においては、受部の中央に向けて突出する突出壁面により、受部で受けた洗浄水を分散させることができる。そのため、受部で受けた洗浄水同士が合流して水勢が高まることを抑制することができる。従って、洗浄水が貯水タンク外へ飛び出してしまうことをより確実に抑制することができる。
【００１２】
本発明は、また、前記洗浄水タンク装置を備える水洗大便器である。
【００１３】
このように構成された本発明においては、受部で受けて縦壁部へ向かう洗浄水が山形のリブに衝突することで、洗浄水の流速を抑制することができる。また、山形であるため、洗浄水の流速を抑制しつつ、例えばリブが縦壁部に対して垂直に形成される場合に比べて、リブにより洗浄水の流れをリブにより止めてしまうことを抑制することができる。従って、洗浄水が貯水タンク外へ飛び出してしまうことを抑制することができる。
【発明の効果】
【００１４】
本発明の洗浄水タンク装置によれば、洗浄水が貯水タンク外へ飛び出してしまうことを抑制することが可能となる。
【図面の簡単な説明】
【００１５】
【図１】本発明の一実施形態による水洗大便器を示す側面断面図。
【図２】本発明の一実施形態による洗浄水タンク装置を示す正面断面図。
【図３】本発明の一実施形態による洗浄水タンク装置の導水部材を示す斜視図。
【図４】本発明の一実施形態による洗浄水タンク装置の導水部材及びカバーを示す平面断面図。
【発明を実施するための形態】
【００１６】
以下、図面を参照して本発明の一実施形態に係る洗浄水タンク装置及びその洗浄水タンク装置を備えた水洗大便器について説明する。
まず、図１により本発明の一実施形態による水洗大便器の構成について説明する。図１は本発明の一実施形態による水洗大便器を示す側面断面図。なお、図１は便蓋を開蓋した状態を示す。
【００１７】
図１に示すように、洗落し式の水洗大便器１は、便器本体２を備え、この便器本体２にはボウル部４と、導水路６と、ボウル部４の下部と連通する排水トラップ管路８がそれぞれ形成されている。便器本体２のボウル４の上縁には、内側にオーバーハングしたリム１０が形成され、このリム１０の後方側には、導水路６から供給される洗浄水を吐水するリム吐水口１２が形成されており、このリム吐水口１２から吐水された洗浄水は、旋回しながら下降してボウル部を洗浄するようになっている。
【００１８】
なお、本実施形態では、水洗大便器１として、ボウル４内の水の落差による勢いにて汚物を押し流す、いわゆる、洗い落し式の水洗大便器の例について説明するが、このような洗い落し式の水洗大便器に限定されず、サイホン作用を利用してボウル部内の汚物を吸い込んで排水トラップ管路から一気に外部に排出する、いわゆる、サイホン式の水洗大便器等の他のタイプの水洗大便器にも適用可能である。
【００１９】
つぎに、図１に示すように、便器本体２の上面には、便座１４及び便蓋１６がそれぞれ回動可能に取り付けられている。
また、便座１４及び便蓋１６に対して後方の便器本体２の上面には、便器洗浄用の洗浄水を便器本体２の導水路６に供給する手洗器付きの洗浄水タンク装置１８が設けられている。
【００２０】
つぎに、図１及び図２により、洗浄水タンク装置１８の構造について説明する。図２は本発明の一実施形態による洗浄水タンク装置を示す正面断面図である。
まず、図１及び図２に示すように、洗浄水タンク装置１８は、陶器製の外装タンク２０と、この外装タンク２０内に収容された内装タンク２２とを備えている。この内装タンク２２は、図１及び図２に示すように、水道等の給水源（図示せ）に接続されている給水管２４から供給される便器洗浄用の洗浄水を貯水する貯水タンクとして機能する。
【００２１】
また、図１及び図２に示すように、外装タンク２０の上部には、手洗器２８が設けられており、この手洗器２８には、スパウト３０が設けられている。このスパウト３０の上流側に接続される手洗給水管３２は、その上流側が内装タンク２２内の給水装置３４に接続されている。
ここで、洗浄水タンク装置１８の給水装置３４は、給水管２４から供給された洗浄水の大半について内装タンク２２内に給水すると共に、給水管２４から供給された洗浄水の一部について手洗給水管３２を経てスパウト３０に供給するようになっている。
そして、給水装置３４から手洗給水管３２を経てスパウト３０に供給された洗浄水は、手洗吐水口３６から手洗器２８の手洗い鉢３８内に吐水されて、手洗器２８における手洗いに利用されるようになっている。
さらに、図１及び図２に示すように、手洗い鉢３８の底部には、流入口４０が上下方向に貫くように形成されている。これにより、手洗ボウル３８内の洗浄水は、内装タンク２２内に流入されて、給水装置３４から内装タンク２２内に直接的に給水された洗浄水と共に、便器洗浄に利用されるようになっている。
【００２２】
つぎに、図１及び図２に示すように、外装タンク２０及び内装タンク２２の底面には、便器本体２の導水路６に連通する排水口４２が上下方向に貫くように形成されている。
また、図２に示すように、排水口４２の上縁には、弁座４４が形成されており、この弁座４４には、内装タンク２２内の排水弁装置４６の排水弁体４８が接触可能に設けられている。
すなわち、洗浄水タンク装置１８の排水弁装置４６は、排水弁体４８の上下動によりタンク排水口４２が開閉されるようになっている。
さらに、図２に示すように、洗浄水タンク装置１８は、排水弁装置４６を操作するための操作装置５０を備えている。
操作装置５０は、回転伝達部材５４が接続されており、回転伝達部材５４の一方側及び他方側への回動に伴い、第１引き上げ部材５６又は第２引き上げ部材５８を引き上げることができる。この第１引き上げ部材５６及び第２引き上げ部材５８の引き上げによって、排水弁装置４６を操作することができる。
なお、洗浄水タンク装置１８の給水装置３４、排水弁装置４６、及び操作装置５０のそれぞれの詳細な構造については、従来のものと同様のものであるため、具体的な説明は省略する。
【００２３】
また、蓋体２４の下方且つ排水弁装置４６の上方には、流入口４０から流入する水を、排水装置７０の外側方向へと導く導水部材２５が設けられている。内装タンク２２の導水部材２５により導かれる先（洗浄水タンク装置１８を正面から見て右側）には、着脱可能なカバー２３が設けられている。カバー２３には回転伝達部材５４を挿通するための貫通孔が開口されている。
【００２４】
つぎに、図３及び図４により、導水部材２５について説明する。図３は本発明の一実施形態による洗浄水タンク装置の導水部材を示す斜視図であり、図４は本発明の一実施形態による洗浄水タンク装置の導水部材及びカバーを示す平面断面図。
【００２５】
図３及び図４に示すように、導水部材２５は、樹脂で一体成型されたものであり、貯水タンク２２の前後方向（内装タンク２２の幅が狭い方向）に延びる本体部２５ａと、本体部２５ａの両側に設けられた取付部２５ｂとを有する。
【００２６】
取付部２５ｂは、断面コ字状のクリップ状に形成され、それぞれ、内装タンク２２の上縁部に上方から引っ掛けて固定されている。
本体部２５ａには、回転伝達部材５４、第１引き上げ部材５６及び第２引き上げ部材５８を支持するための穴（図示せず）が設けられている。
【００２７】
本体部２５ａの上部には、スパウト３０から吐水され、手洗い鉢３８に形成された流入口４０から内装タンク２２内に流入する洗浄水を受け止める受部２５ｄが形成される。まや、受部２５ｄの外周縁の内の本体部２５ａが延びる方向と直交する方向における一端を除いて取り囲む第１縦壁部２５ｅと、この一端（洗浄水タンク装置１８を正面から見て右側）に設けられる第２縦壁部２５ｆとが形成される。第２縦壁部２５ｆは受部２５ｄの一端の内の本体部２５ａが延びる方向と直交する方向における中央部にのみ形成されることで、第１縦壁部２５ｅと第２縦壁部２５ｆとの間に隙間を２つ形成し、この２つの隙間が２つの導水口２５ｇとして機能する。
【００２８】
第１縦壁部２５ｅの内、受部２５ｄの本体部２５ａが延びる方向（前後方向）における一端と他端に形成された第１縦壁部２５ｅは、その内面から受部２５ｄの内側へ向けて突出する山形のリブ２５ｈを備える。リブ２５ｈは、本体部２５ａが延びる方向と直交する方向（左右方向）の内の一方側から他方側へ傾斜しつつ受部２５ｄ内側へ延びて形成される傾斜面と、この傾斜面の受部２５ｄ内側端から本体部２５ａが延びる方向と直交する方向（左右方向）の内の他方側へ傾斜しつつ受部２５ｄ外側へ延びて形成される傾斜面とにより構成され、傾斜面同士の接続は受部２５ｄ内側へ向けて凸の曲面によりなされる。また、リブ２５ｈは第１縦壁部２５ｅの内面の下端から上端に亘って、即ち、リブ２５ｈの山形の稜線が第１縦壁部２５ｅの上端から下端に亘って形成される。なお、本発明においては、縦壁部の上端から下端に亘って形成されなくてもよく、例えば、上端から上下方向の中間までや、下端から上下方向の中間までに形成されてもよい。また、本発明においては、第１縦壁部２５ｅの一部のみならず、第１縦壁部２５ｅの全周や、第２縦壁部２５ｆの全周あるいは一部に山形地のリブが形成されてもよい。
【００２９】
また、リブ２５ｈは複数形成される。リブ２５ｈが連続して形成されることで、第１縦壁部２５ｅのリブ２５が複数形成された内面は、上面視で正弦波形の波状の壁面として形成される。複数のリブ２５ｈ同士の接続は受部２５ｄ外側へ凸の曲面によりなされる。
【００３０】
第２縦壁部２５ｆは、受部２５ｄの中央に向けて突出する突出壁面２５ｊを形成する。突出壁面２５ｊは２つの導水口２５ｇ同士の間に設けられ、平面視で２つの導水口２５ｇの中間位置に向けて突出する弓状に形成される。なお、本発明においては、突出壁面２５ｊはこのような形状に限定されるものではなく、例えば、平面視で台形状や、くの字状に突出する形状でもよい。また、突出壁面２５ｊにも山形のリブ２５ｈが複数形成される。
【００３１】
受部２５ｄは、導水部材２５が貯水タンク２２に取り付けられたとき、平面視で、手洗い鉢３８に形成された流入口４０の中心位置と、ほぼ合うように形成されている。また、受部２５ｄの大きさ自体も、流入口４０の大きさより、十分大きく形成されている。即ち、流入口４０から流入する洗浄水は、受部２５ｄで受け止められるようになっている。
そして、受部２５ｄで受け止められた洗浄水は、２つの導水口２５ｇから側方に向けて、内装タンク２２内に流出されるようになっている。
【００３２】
また、図４に示すように、２つの導水口２５ｇはカバー２３と対向する。カバー２３の導水口２５ｇと対向する面には導水口２５ｇへ向けて突出するガイドリブ２３ａが形成される。ガイドリブ２３ａは、導水口２５ｇから吐出される洗浄水を内装タンク２２の内面へ向けて案内することができる。これにより、カバー２３に開口された貫通孔へ洗浄水が向かうことを抑制することができる。
【００３３】
上述した本発明の一実施形態における洗浄水タンク装置１８では、受部２５ｄで受けて第１縦壁部２５ｅへ向かう洗浄水が山形のリブ２５ｈに衝突することで、洗浄水の流速を抑制することができる。また、山形であるため、洗浄水の流速を抑制しつつ、例えばリブが縦壁部に対して垂直に形成される場合に比べて、リブにより洗浄水の流れを止めてしまうことを抑制することができる。従って、洗浄水が内装タンク２２外へ飛び出してしまうことを抑制することができる。
【００３４】
また、上述した本発明の一実施形態における洗浄水タンク装置１８では、受部２５ｄで受けて第１縦壁部２５ｅへ向かう洗浄水が複数の山形のリブ２５ｈに衝突することで、洗浄水の流速をより確実に抑制することができる。また、山形であるため、洗浄水の流速を抑制しつつ、例えばリブが縦壁部に対して垂直に形成される場合に比べて、リブにより洗浄水の流れを止めてしまうことを抑制することができる。従って、洗浄水が内装タンク２２外へ飛び出してしまうことをより確実に抑制することができる。
【００３５】
また、上述した本発明の一実施形態における洗浄水タンク装置１８では、受部２５ｄの中央に向けて突出する突出壁面２５ｊにより、受部２５ｄで受けた洗浄水を前後方向へと分散させることができる。さらに、分散した先に導水口２５ｇが夫々設けられている。そのため、受部２５ｄで受けた洗浄水同士が合流して水勢が高まることを抑制することができる。従って、洗浄水が内装タンク２２外へ飛び出してしまうことをより確実に抑制することができる。
【符号の説明】
【００３６】
１      水洗大便器
２      便器本体
４      ボウル
６      導水路
８      トラップ管路
１０      リム
１２      リム吐水口
１４      便座
１６      便蓋
１８      洗浄水タンク装置
２０      外装タンク
２２      内装タンク
２３      カバー
２３ａ    ガイドリブ
２５      導水部材
２５ａ    本体部
２５ｂ    取付部
２５ｄ    受部
２５ｅ    第１縦壁部
２５ｆ    第２縦壁部
２５ｇ    導水口
２５ｈ    リブ
２５ｊ    突出壁面
２４      給水管（給水路）
２８      手洗器
３０      スパウト
３２      手洗給水管
３４      給水装置
３６      手洗吐水口
３８      手洗い鉢
４０      流入口
４２      排水口
４４      弁座
４６      排水弁装置
４８      排水弁体
５０      操作装置
５４      回転伝達部材５４
５６      第１引き上げ部材
５８      第２引き上げ部材
【図１】
2018168544.tif 000003
【図２】
2018168544.tif 000004
【図３】
2018168544.tif 000005
【図４】
2018168544.tif 000006